(57)【要約】【課題】点眼薬容器に封入された薬液を眼球に確実に滴下することが可能な点眼補助具を提供する。【解決手段】皮膚と接触し、所定高さを有する筒状の下部材と、外壁と内壁と上壁と下壁とにより内部空間を構成する筒状の透明な上部材とからなる点眼補助具である。内部空間には着色された液体を所定量封入している。薬液口が眼球の真上に位置した際における液体の液面が位置する部分に基準線を内壁に設ける。眼球を覆うように点眼補助具を皮膚に接触させ、点眼薬容器の薬液口を上部材の上端から筒内に嵌合させる。【選択図】図１
2017164437.tif 000002
【特許請求の範囲】
【請求項１】
点眼薬を眼球に滴下する際にその点眼薬が封入された点眼薬容器の薬液口が眼球の真上に位置するように前記点眼薬容器を支持した状態で、前記点眼薬を前記眼球に滴下する点眼薬補助具であって、
眼球を取り囲むように点眼補助具を皮膚に載置した際に、その皮膚に接触する、所定高さを有した筒状の下部材と、
上端部から筒内に点眼薬容器の薬液口が嵌合され、外壁と内壁と上壁と下壁とにより内部空間が構成された筒状の透明な上部材と、からなり、
前記内部空間に着色された液体が所定量封入され、
前記薬液口が前記眼球の真上に位置した際における前記液体の液面が位置する部分に基準線を前記上部材に設けた点眼補助具。
【請求項２】
前記下部材の前記皮膚と接触する部分の内径は、前記基準線が設けられた部分の内径より長く、
前記下部材には、前記皮膚と接触する部分に弾性部材を設けた請求項１に記載の点眼補助具。
【発明の詳細な説明】
【技術分野】
【０００１】  この発明は、点眼補助具、詳しくは眼球に確実に薬液を滴下することができる点眼補助具の技術分野に属する。
【背景技術】
【０００２】  一般に、自分で点眼する場合には、上を向き、点眼薬容器を眼球の真上に移動し、指で点眼薬容器を押圧することで薬液を滴下する。一見簡単に思われる点眼動作も、不慣れな人の場合には、薬液を眼球の上に適切に落とすことが難しい。こうした点眼を容易にするため、従来から点眼薬用の容器や補助具など、種々の構造が検討されている。【０００３】  例えば、下記特許文献１には、薬液を入れる主要器部分と、薬液を滴下する薬液口とを有する点眼薬容器であって、点眼時に、薬液口が眼球の略真上であることを視認させる視認部分を備えている。視認部分は、薬液口側に底部を有し、所定容積を備える副容器部を、薬液口を取り囲む位置に配置している。副容器部の内部には、透明でかつ着色された液体を、少なくとも薬液口が略真上である場合に底部を覆う所定量以上封入している。薬液が水平であるか否かを、透明でかつ着色された液体を透過する光量から判別できるようにしている。
【先行技術文献】
【特許文献】
【０００４】
【特許文献１】特開２００７−３７７７５号公報
【発明の概要】
【発明が解決しようとする課題】
【０００５】  特許文献１に記載の点眼薬容器によれば、自ら点眼薬容器を保持することから、眼球と薬液口との離間距離が定まらない。そして、眼球の真上に薬液口がなかった場合、薬液を眼球に滴下することができない。すなわち、薬液口の位置にずれがあっても、それを判別する手段はない。
また、特許文献１に記載の点眼薬容器における薬液が水平であるか否かの判断を透明でかつ着色された液体を用いるが、容器がわずかに傾いている場合、透明でかつ着色された液体を透過する光量の差を視認することが困難であり、容器自体が水平か否かはこの点眼薬容器では判別できない【０００６】  そこで、発明者は、鋭意研究の結果、点眼補助具の容器の形状と、着色された液体の性状、水平線の位置に着目し、点眼補助具を構成する外壁の内部に着色された液体を封入し、外壁に水平線を設けることにより、上述の課題は解決できることを知見し、この発明を完成させた。【０００７】  この発明は、眼球に確実に薬液を滴下することができる点眼補助具を提供することを目的とする。
【課題を解決するための手段】
【０００８】  請求項１に記載の発明は、点眼薬を眼球に滴下する際にその点眼薬が封入された点眼薬容器の薬液口が眼球の真上に位置するように前記点眼薬容器を支持した状態で、前記点眼薬を前記眼球に滴下する点眼薬補助具であって、眼球を取り囲むように点眼補助具を皮膚に載置した際に、その皮膚に接触する、所定高さを有した筒状の下部材と、上端部から筒内に点眼薬容器の薬液口が嵌合され、外壁と内壁と上壁と下壁とにより内部空間が構成された筒状の透明な上部材と、からなり、前記内部空間に着色された液体が所定量封入され、前記薬液口が前記眼球の真上に位置した際における前記液体の液面が位置する部分に基準線を前記上部材に設けた点眼補助具である。【０００９】  請求項１に記載の発明によれば、着色された液体の液面は常に水平であことから、点眼薬容器を上部材の上端部から筒内に差し込んだときに、点眼薬容器の薬液口が眼球の真上に位置するときの液面の位置を基準線で示すことで、点眼時に、その基準線が、着色された液体の液面の位置と一致すれば、点眼薬容器の薬液口が眼球の真上に位置していることとなる。これにより、基準線と着色された液体の液面の位置に注視しさえすれば確実に薬液を眼球に滴下することが可能である。【００１０】  下部材と上部材は、筒状の部材である。円筒、円錐台の上面の中央部分と下面の中央部分とを貫通させた円錐台筒（筒内がテーパ状に形成された漏斗形状）、角柱の上面の中央部分と下面の中央部分とを貫通させた筒形状であってもよい。好ましくは下部材が円筒であり、上部材は円錐台筒である。
下部材と上部材の材質は、上部材が透明であれば、他は特に問わない。好ましくはプラスチック製である。軽量で加工も容易であり、安価に製造できるためである。【００１１】  着色された液体の種類は、上部材を腐食・溶解しないものであれば特に問わない。好ましくは水を着色したものである。
着色された液体の色は、基準線が明確に視認できる色であれば特に問わない。基準線を黒色で示した場合、着色された液体の色は、例えば、黄色、薄い赤色、薄い青色等であってもよい。
着色材料は、染料、顔料等が挙げられる。【００１２】  点眼薬容器の形状、点眼薬の種類、点眼薬容器における薬液口の形状については特に問わない。ただし、薬液口の形状は、上部材の上端部から筒内に嵌合することが可能な形状であることを要する。【００１３】  請求項２に記載の発明は、前記下部材の前記皮膚と接触する部分の内径は、前記基準線が設けられた部分の内径より長く、前記下部材には、前記皮膚と接触する部分に弾性部材を設けた請求項１に記載の点眼補助具である。【００１４】  請求項２に記載の発明によれば、下部材の皮膚と接触する部分の内径を、基準線が設けられた部分の内径より長くすることで、基準線を視認しやすくなる。これによって、点眼薬容器の薬液口が眼球の真上に位置しているか否かの判別がより容易にできる。
また、下部材には、皮膚と接触する部分に弾性部材を設けたことにより、点眼補助具を用いた際における皮膚への損傷を防止することができ、安全に点眼補助具を使用することができる。【００１５】  弾性部材の種類は特に問わず、ゴム、スポンジであってもよい。
【発明の効果】
【００１６】  請求項１に記載の発明によれば、着色された液体の液面は常に水平であことから、点眼薬容器を上部材の上端部から筒内に差し込んだときに、点眼薬容器の薬液口が眼球の真上に位置するときの液面の位置を基準線で示すことで、点眼時に、その基準線が、着色された液体の液面の位置と一致すれば、点眼薬容器の薬液口が眼球の真上に位置していることとなる。これにより、基準線と着色された液体の液面の位置に注視しさえすれば確実に薬液を眼球に滴下することが可能である。【００１７】  請求項２に記載の発明によれば、下部材の皮膚と接触する部分の内径を、基準線が設けられた部分の内径より長くすることで、基準線を視認しやすくなる。これによって、点眼薬容器の薬液口が眼球の真上に位置しているか否かの判別がより容易にできる。
また、下部材には、皮膚と接触する部分に弾性部材を設けたことにより、点眼補助具を用いた際における皮膚への損傷を防止することができ、安全に点眼補助具を使用することができる。
【図面の簡単な説明】
【００１８】
【図１】この発明の実施例に係る点眼補助具を示す斜視図である。
【図２】この発明の実施例に係る点眼補助具を示す断面図である。
【図３】この発明の実施例に係る点眼補助具を使用した状態を示す説明図である。
【発明を実施するための形態】
【００１９】  この発明の実施例に係る点眼補助具１０について以下説明する。
【００２０】  この発明の実施例に係る点眼補助具１０は、上部材１１と下部材１２とが、一体形成されたものである。上部材１１と下部材１２はいずれも透明樹脂製（ポリエチレン製）である。また、下部材１２の下端部には、皮膚との接触により皮膚の損傷を防止する弾性部材１４を取り付けている。
【００２１】  上部材１１は、上部の内径が下部の内径より小さい筒状の部材である。つまり、上部材は筒内がテーパー状に形成された漏斗形状の部材である。
上部材１１の上部の内径は２〜５ｍｍ程度、下部の内径は３０〜５０ｍｍ程度である。また、上部材１１の上部の外径は６〜１０ｍｍ程度、下部の内径は３５〜５５ｍｍ程度である。
上部材１１は、内壁と外壁、上壁と下壁（以下、単に「四壁１１ａ」と記載する）とからなり、四壁１１ａの壁厚は０．５〜１ｍｍ程度である。そして、四壁１１ａにより環状の内部空間１１ｃが形成される。この内部空間１１ｃに着色水１３が所定量封入されるとともに、点眼補助具１０を水平に載置した際に着色水１３の液面の位置を示す基準線１１ｂを内壁に形成している。
【００２２】  着色水１３は、食紅が所定量溶解された薄い赤色の純水である。着色水１３は、内部空間１１ｃに、その内部空間１１ｃの容積の５０％程度の体積量だけ封入される。
基準線１１ｂは、濃い黒色で示されるとともに、着色水１３と基準線１１ｂとが判別できるように、上部材１１の内壁に形成されている。基準線１１ｂの線幅は０．５〜１ｍｍ程度である。
【００２３】  下部材１２は、円筒形状であり、下部材１２の上端部の内径と下端部１２の内径とは等しく、３０〜５０ｍｍ程度である。すなわち、下部材１２の内径と、上部材１１の下端部の内径とは等しい。
また、下端部１２の上端部の外径と下端部１２の外径とが等しく、３５〜５５ｍｍ程度である。つまり、下部材１２の外径と上部材１１の下端部の外径とは等しい。
下部材１２の上面形状と、上部材１１の下面形状とは同一形状であり、下部材１２の上面と上部材１１の下面とはずれがないように接している。
下部材１２の下端部に取り付けられた弾性部材１４は、下部材１２の下端部の内径と等しい内径を有する環状の部材である。つまり、下部材１２の下面形状と、弾性部材１４の上面形状とは、同一形状であり、下部材１２の下面と、弾性部材１４の上面とはずれがないように接している。弾性部材１４は軟性ゴムで形成される。
【００２４】  点眼薬容器２０は、容器本体に封入された薬液を外部に滴下する薬液口を有している。薬液口は所定高さを有する円筒であり、外径が２〜５ｍｍ程度である。つまり、薬液口は、点眼補助具１０の上部材の上端部から筒内に嵌合可能となるように、点眼補助具が構成されている。
【００２５】  このように構成される点眼補助具１０を用いて点眼薬容器内に封入された薬液を眼球３０に滴下する方法について説明する。
まず、眼球３０を覆うようにして点眼補助具１０の弾性部材１４を皮膚３１に接触させる。その後、上部材１１の上端部から点眼薬容器２０の薬液口を筒内に嵌合させる。その後、着色水１３の液面を基準線１１ｂに合わせる。その後、点眼薬容器２０を押圧して薬液口から薬液を滴下させる。
これにより、眼球３０に直接薬液を滴下することができる。
【産業上の利用可能性】
【００２６】  この発明は、眼球に確実に薬液を滴下することができる点眼補助具の技術に有用である。
【符号の説明】
【００２７】１０  点眼補助具、
１１  上部材、
１１ｂ  基準線、
１１ｃ  内部空間、
１２  下部材、
１３  着色水、
１４  弾性部材、
２０  点眼薬容器、
３０  眼球、
３１  皮膚。
【図１】
2017164437.tif 000003
【図２】
2017164437.tif 000004
【図３】
2017164437.tif 000005
【手続補正書】
【提出日】平成28年7月12日(2016.7.12)
【手続補正１】
【補正対象書類名】特許請求の範囲
【補正対象項目名】全文
【補正方法】変更
【補正の内容】
【特許請求の範囲】
【請求項１】
点眼薬を眼球に滴下する際にその点眼薬が封入された点眼薬容器の薬液口が眼球の真上に位置するように前記点眼薬容器を支持した状態で、前記点眼薬を前記眼球に滴下する点眼薬補助具であって、
眼球を取り囲むように点眼補助具を皮膚に載置した際に、その皮膚に接触する、所定高さを有した筒状の下部材と、
上端部から筒内に点眼薬容器の薬液口が嵌合され、外壁と内壁と上壁と下壁とにより内部空間が構成された筒状の透明な上部材と、からなり、
前記内部空間に着色された液体が所定量封入され、
前記点眼補助具を該点眼補助具の軸を鉛直方向にしに皮膚に載置した際の前記液体の液面の位置を示す基準線を前記上部材に設けた点眼補助具。
【請求項２】
前記下部材の前記皮膚と接触する部分の内径は、前記基準線が設けられた部分の内径より長く、
前記下部材には、前記皮膚と接触する部分に弾性部材を設けた請求項１に記載の点眼補助具。
【手続補正２】
【補正対象書類名】明細書
【補正対象項目名】０００８
【補正方法】変更
【補正の内容】
【０００８】  請求項１に記載の発明は、点眼薬を眼球に滴下する際にその点眼薬が封入された点眼薬容器の薬液口が眼球の真上に位置するように前記点眼薬容器を支持した状態で、前記点眼薬を前記眼球に滴下する点眼薬補助具であって、眼球を取り囲むように点眼補助具を皮膚に載置した際に、その皮膚に接触する、所定高さを有した筒状の下部材と、上端部から筒内に点眼薬容器の薬液口が嵌合され、外壁と内壁と上壁と下壁とにより内部空間が構成された筒状の透明な上部材と、からなり、前記内部空間に着色された液体が所定量封入され、前記点眼補助具を該点眼補助具の軸を鉛直方向にして皮膚に載置した際の前記液体の液面の位置を示す基準線を前記上部材に設けた点眼補助具である。